(57)【要約】【課題】荷台後部ドア１を有する貨物自動車において、夜間、後部ドア１が開かれているとき、自転車の運転者および歩行者が開かれたドア１に衝突しないようにする。【解決手段】ＥＬ発光シート２が後部ドア１の内面に設けられる。さらに、電源５が発光シート２に接続され、電源５によって発光シート２が発光し、後部ドア１が開かれているとき、発光シート２によってドア１の存在が警報される。好ましい実施例では、後部ドア１は跳ね上げ式のものである。そして、後部ドアが開かれたとき、発光シート２が後部ドア１から垂下する。【選択図】図１
0003108489.tif 000002
【実用新案登録請求の範囲】
【請求項１】
荷台後部ドアを有する貨物自動車において、
前記後部ドアの内面に設けられたＥＬ発光シートと、
前記発光シートに接続され、前記発光シートを発光させる電源とを備え、
夜間、前記後部ドアが開かれているとき、前記発光シートによってドアの存在を警報するようにしたことを特徴とする貨物自動車。
【請求項２】
前記後部ドアは跳ね上げ式のものであり、後部ドアが開かれたとき、前記発光シートが開かれたドアから垂下するようにしたことを特徴とする請求項１に記載の貨物自動車。
【請求項３】
前記発光シートは前記後部ドアの内面に沿ってのび、前記発光シートの上縁において、固定手段によって前記発光シートと前記後部ドアが固定され、前記発光シートが前記固定手段から垂下し、その位置は前記後部ドアの下端付近であることを特徴とする請求項２に記載の貨物自動車。
【請求項４】
前記固定手段は複数のビスからなり、前記発光シートの幅方向において、前記各ビスが間隔を置いて配置され、前記各ビスによって前記発光シートと前記後部ドアが固定されていることを特徴とする請求項３に記載の貨物自動車。
【請求項５】
前記後部ドアの幅方向において、一対の前記発光シートが間隔を置いて配置され、前記各発光シートがハの字状に傾斜し、垂下しており、その位置は前記後部ドアの両側縁付近であることを特徴とする請求項３に記載の貨物自動車。
【請求項６】
前記電源がスイッチおよび前記発光シートに接続され、前記後部ドアが開かれたとき、前記スイッチによって前記発光シートが発光するようにしたことを特徴とする請求項１に記載の貨物自動車。
【請求項７】
前記後部ドアが開かれたとき、前記スイッチによって前記発光シートが点滅するようにしたことを特徴とする請求項６に記載の貨物自動車。
【請求項８】
前記電源が荷台屋根の内面に設けられ、前記スイッチは前記電源と一体化されていることを特徴とする請求項６に記載の貨物自動車。
【請求項９】
前記電源がスイッチおよび前記発光シートに接続され、夜間、前記スイッチによって前記発光シートが発光するようにしたことを特徴とする請求項１に記載の貨物自動車。
【請求項１０】
前記発光シートに警報文字が表示されるようにしたことを特徴とする請求項１〜９のいずれかに記載の貨物自動車。
【考案の詳細な説明】
【技術分野】
【０００１】
この考案は、貨物自動車に関するものである。
【背景技術】
【０００２】
貨物自動車が種々の業種で使用されている。特開２００３−１３２４９６号公報（特許文献１）に記載されているものがそれである。貨物自動車のうち、飲料ボトルを配送するものはボトルカーと呼ばれているが、ボトルカーは跳ね上げ式の荷台後部ドアを有するものが多い。
【０００３】
ところで、荷台後部ドアを有する貨物自動車の場合、夜間、たとえば、飲料ボトルなどの荷物の配送にあたって、後部ドアが開かれているとき、自転車の運転者および歩行者が開かれたドアに衝突するおそれがある。特に、後部ドアが跳ね上げ式である場合、そのドアが自転車の運転者および歩行者から見えにくく、自転車の運転者および歩行者が貨物自動車の後方を通過するとき、開かれたドアで頭を打つことが少なくなく、その事故の防止が強く要望されている。
【０００４】
一方、最近、ＥＬ発光シートが一般に普及してきた。たとえば、特開平８−１０２３６２号公報（特許文献２）に記載されているものがそれである。ＥＬ発光シートの場合、適宜の電源をＥＬ発光シートに接続すると、電源によって発光シートを発光させることができる。
【０００５】
この考案は、ＥＬ発光シートに着眼してなされたもので、荷台後部ドアを有する貨物自動車において、夜間、後部ドアが開かれているとき、自転車の運転者および歩行者が開かれたドアに衝突しないようにすること、および後部ドアが跳ね上げ式である場合、開かれたドアで頭を打つことがないようにすることを目的する。
【特許文献１】特開２００３−１３２４９６号公報
【特許文献２】特開平８−１０２３６２号公報
【考案の開示】
【０００６】
この考案によれば、ＥＬ発光シートが後部ドアの内面に設けられる。さらに、電源が発光シートに接続され、電源によって発光シートが発光し、夜間、後部ドアが開かれているとき、発光シートによってドアの存在が警報される。
【０００７】
好ましい実施例では、後部ドアは跳ね上げ式のものである。そして、後部ドアが開かれたとき、発光シートが後部ドアから垂下する。
【０００８】
さらに、発光シートは後部ドアの内面に沿ってのびる。さらに、発光シートの上縁において、固定手段によって発光シートと後部ドアが固定され、発光シートが固定手段から垂下する。その位置は後部ドアの下端付近である。
【０００９】
固定手段は複数のビスからなる。そして、発光シートの幅方向において、各ビスが間隔を置いて配置され、各ビスによって発光シートと後部ドアが固定される。
【００１０】
さらに、後部ドアの幅方向において、一対の発光シートが間隔を置いて配置され、各発光シートがハの字状に傾斜し、垂下する。その位置は後部ドアの両側縁付近である。
【００１１】
さらに、電源がスイッチおよび発光シートに接続され、後部ドアが開かれたとき、スイッチによって発光シートが発光する。
【００１２】
さらに、後部ドアが開かれたとき、スイッチによって発光シートが点滅するようにしてもよい。
【００１３】
さらに、電源が荷台屋根の内面に設けられ、スイッチは電源と一体化される。
【００１４】
夜間、スイッチによって発光シートが発光するようにしてもよい。
【００１５】
さらに、発光シートに警報文字が表示される。
【考案を実施するための最良の形態】
【００１６】
以下、この考案の実施例を説明する。
【００１７】
図１はこの考案にかかる貨物自動車を示す。この貨物自動車は飲料ボトルを配送するボトルカーであり、跳ね上げ式の荷台後部ドア１を有する。さらに、ＥＬ発光シート２が後部ドア１の内面に設けられている。発光シート２は特開平８−１０２３６２号公報に記載されている構造のものである。
【００１８】
この実施例では、後部ドア１が閉じられているとき、図２に示すように、発光シート２は後部ドア１の内面に沿ってのびる。さらに、発光シート２の上縁において、固定手段によって発光シート２と後部ドア１が固定されており、発光シート２が固定手段から垂下する。その位置は後部ドア１の下端付近である。この実施例では、固定手段は複数のビス３からなる。そして、発光シート２の幅方向において、各ビス３が間隔を置いて配置されており、各ビス３によって発光シート２と後部ドア１が固定されている。したがって、後部ドア１が開かれたとき、発光シート２が開かれたドア１から垂下する。その位置は開かれたドア１の先端付近である。
【００１９】
さらに、この実施例では、後部ドア１の幅方向において、一対の発光シート２が間隔を置いて配置され、各発光シート２がハの字状に傾斜し、垂下している。したがって、後部ドア１が開かれたとき、発光シート２が開かれたドア１から垂下することは前述したとおりであるが、その状態のとき、貨物自動車の前後方向において、各発光シート２が斜め外向きに配置される。その位置は開かれたドア１の両側縁付近である。
【００２０】
さらに、この実施例では、発光シート２の裏面において、図３に示すように、発光シート２に警報文字４が印刷されている。したがって、後部ドア１が開かれたとき、各発光シート２が斜め外向きに配置されるが、その外面において、発光シート２に警報文字４が表示される。
【００２１】
さらに、電源５が発光シート２に接続されており、電源５によって発光シート２が発光する。この実施例では、電源５がスイッチおよび発光シート２に接続されており、後部ドア１が開かれたとき、スイッチによって発光シート２が発光する。電源５は荷台屋根６の内面に設けられており、スイッチは電源５と一体化されている。スイッチは手動操作式のものであってもよく、後部ドア１に連動するものであってもよい。後部ドア１が開かれたとき、スイッチによって発光シート２が点滅するようにしてもよい。
【００２２】
さらに、この実施例では、電線７が後部ドア１の内面に敷設され、電線７によって電源５と発光シート２が接続されており、電線７は後部ドア１の両側縁に沿ってのびる。
【００２３】
スイッチに暗さを検出する種類のものを使用し、夜間、スイッチによって発光シート２が発光するようにしてもよい。
【００２４】
したがって、この貨物自動車において、夜間、たとえば、飲料ボトルなどの荷物の配送にあたって、後部ドア１が開かれているとき、発光シート２および警報文字４によってドア１の存在が警報される。したがって、自転車の運転者および歩行者が貨物自動車の後方を通過するとき、開かれたドア１で頭を打つことはない。
【００２５】
なお、後部ドアが跳ね上げ式ではない貨物自動車であっても、発光シートを後部ドアの内面に設けると、夜間、後部ドアが開かれているとき、発光シートによってドアの存在を警報することができる。したがって、自転車の運転者および歩行者が開かれたドアに衝突することはない。
【図面の簡単な説明】
【００２６】
【図１】この考案の実施例を示す側面図である。
【図２】図１の後部ドアの説明図である。
【図３】図２の発光シートの裏面図である。
【符号の説明】
【００２７】
１  後部ドア
２  発光シート
４  警報文字
５  電源
６  荷台屋根
【図１】
0003108489.tif 000003
【図２】
0003108489.tif 000004
【図３】
0003108489.tif 000005